(57)【要約】      （修正有）【課題】檻がなくても、飲水器を使える飲水器保持具を提供する。【解決手段】ベースの開口部に、高さ調整用長手部材の凸部を嵌め込むと共に、保持部に凸部の先端を位置決めして固定する。次に、ユーザは、ペットが飲みやすい高さにペット用飲料器１７が位置するように、固定部材１５を上下方向に位置決めする。そして、背面側から留め具４３の雄ネジ部を、飲料器装着部４１の雌ネジ部に螺合して、固定部材１５を高さ調整用長手部材に固定する。【選択図】図２
0003173186.tif 000002
【実用新案登録請求の範囲】
【請求項１】
高さ調整用長手部材と、
飲水器を上下方向に移動可能に着脱可能に前記高さ調整用長手部材に固定する固定手段と、
前記長手部材を固定して支持する支持手段と
を有する
飲水器保持具。
【請求項２】
前記高さ調整用長手部材の前記支持手段に装着される側には、高さ調整用長手部材が前記固定手段が固定される側に傾斜することを防止するように前記高さ調整用長手手段の長手方向と略直交する向きに突き出た凸部が設けられ、
前記支持手段は、前記高さ調整用長手部材を着脱可能に保持し、前記凸部を受けて固定する固定部を有し、
前記固定手段は、前記高さ調整用長手部材に固定された状態で、前記飲水器を出し入れする開口部を前記高さ調整用長手部材と反対側に備え、前記開口部の周辺に力を加えることで、前記開口部が前記高さ調整用部材を出し入れできない閉状態から出し入れできる開状態に変形する
請求項１に記載の飲水器保持具。
【請求項３】
前記支持手段は、前記飲水器から漏れた水を収容する凹部を備えている
請求項１または請求項２に記載の飲水器保持具。
【考案の詳細な説明】
【技術分野】
【０００１】
本考案は、ペットの飲水器を保持する飲水器保持具に関する。
【背景技術】
【０００２】
従来から、犬などの動物に水を飲ますための多様な種類の飲水器が発売されている。
このような飲水器は、ペットの檻のワイヤに固定される構造を有している。
【特許文献１】登録実用新案第３０７７８１９号公報
【考案の開示】
【考案が解決しようとする課題】
【０００３】
しかしながら、檻は、ペットが子供のときのみ使用し、大人になると捨てられてしまうことが多い。
そのため、ペットが大人になると、飲水器を使えないという問題がある。
【０００４】
本発明は、檻がなくても、飲水器を使える飲水器保持具を提供することを目的とする。
【課題を解決するための手段】
【０００５】
上述した従来技術の問題を解決し、上述した目的を達成するために、本考案の飲水器保持具は、高さ調整用長手部材と、飲水器を上下方向に移動可能に着脱可能に前記高さ調整用長手部材に固定する固定手段と、前記長手部材を固定して支持する支持手段とを有する。
【０００６】
好適には、本考案の飲水器保持具は、前記高さ調整用長手部材の前記支持手段に装着される側には、高さ調整用長手部材が前記固定手段が固定される側に傾斜することを防止するように前記高さ調整用長手手段の長手方向と略直交する向きに突き出た凸部が設けられ、前記支持手段は、前記高さ調整用長手部材を着脱可能に保持し、前記凸部を受けて固定する固定部を有し、前記固定手段は、前記高さ調整用長手部材に固定された状態で、前記飲水器を出し入れする開口部を前記高さ調整用長手部材と反対側に備え、前記開口部の周辺に力を加えることで、前記開口部が前記高さ調整用部材を出し入れできない閉状態から出し入れできる開状態に変形する。
【０００７】
好適には、本考案の飲水器保持具の前記支持手段は、前記飲水器から漏れた水を収容する凹部を備えている。
【考案の効果】
【０００８】
本考案によれば、檻がなくても、飲水器を使える飲水器保持具を提供することができる。
【図面の簡単な説明】
【０００９】
【図１】図１は本考案の実施形態に係るペット用飲水器保持具の正面図である。
【図２】図２は本考案の実施形態に係るペット用飲水器保持具の側面図である。
【図３】図３は本考案の実施形態に係るペット用飲水器保持具の背面図である。
【図４】図４（Ａ）は分離した状態でのベースの外観図、図４（Ｂ）は分離した状態での長手部材長手部材の外観図である。
【図５】図５は、飲料器が装着された状態での固定部材の側面図である。
【図６】図６は、固定部材の飲料器装着部側の外観を説明するための図である。
【図７】図７は飲料器装着部を長手部材に固定する際に飲料器装着部４１と係合する留め具の外観図である。
【図８】図８は、本発明の第２実施形態のペット用飲水器保持具の外観図である。
【考案を実施するための最良の形態】
【００１０】
以下、本考案の実施形態に係る飲水器保持具を、図面を参照しながら説明する。
＜第１実施形態＞
図１は本考案の実施形態に係るペット用飲水器保持具１の正面図、図２は本考案の実施形態に係るペット用飲水器保持具１の側面図、図３は本考案の実施形態に係るペット用飲水器保持具１の背面図である。図４（Ａ）は分離した状態でのベース１３の外観図、図４（Ｂ）は分離した状態での高さ調整用長手部材１１の外観図である。
【００１１】
図１に示すように、ペット用飲水器保持具１は、高さ調整用長手部材１１と、高さ調整用長手部材１１が固定して支持されるベース１３と、ペット用飲水器１７を高さ調整用長手部材１１に装着する固定部材１５とを有する。
高さ調整用長手部材１１が本考案の高さ調整用長手部材の一例であり、ベース１３が本考案の支持手段の一例であり、固定部材１５が本考案の固定手段の一例である。
【００１２】
高さ調整用長手部材１１は、図１、図３および図４（Ｂ）に示すように、長手方向に延びる開口部１１ａを有する。
また、高さ調整用長手部材１１の背面側には、高さ調整用長手部材１１がベース１３に装着された状態で、高さ調整用長手部材１１がペット用飲水器保持具１が固定される側に倒れる（傾斜する）ことを防止するための三角薄板形状の凸部２５が形成されている。
また、図４に示すように、高さ調整用長手部材１１の一端部には、ベース１３の凹部１３ａに嵌合される凸部２３が形成されている。
【００１３】
図４（Ａ）に示すように、ベース１３には、高さ調整用長手部材１１の凸部２３が挿入される凹部１３ａが設けられている。
また、高さ調整用長手部材１１の凹部１３ａの正面側に隣接して凸部２５の端部が位置決めして保持される保持部１３ｂが設けられている。
また、ベース１３の正面側には、ペットがペット用飲料器１７から水を飲んだ時に落ちる水を貯める凹部１３ｃが設けられている。
【００１４】
図５は、飲料器１７が装着された状態での固定部材１５の側面図、図６は固定部材１５の飲料器装着部４１側の外観を説明するための図、図７は飲料器装着部４１を高さ調整用長手部材１１に固定する際に飲料器装着部４１と係合する留め具４３の外観図である。
図１および図２に示すように、固定部材１５の飲料器装着部４１は、正面からみて右側に開閉操作部３１が設けられ、開閉操作部３１を右奥に向けてユーザが指等で押すことで、正面側の開口部の幅が広がり、外側からペット用飲料器１７の口部付近を内側に挿入できるようになっている。
ユーザは、ペット用飲料器１７の口部付近を内側に挿入した後に、開閉操作部３１から手を離すことで、上記開口部の幅が狭くなり、ペット用飲料器１７の口部付近が飲料器装着部４１に固定される。
【００１５】
飲料器装着部４１は、図２、図３、図６および図７に示すように、飲料器装着部４１を高さ調整用長手部材１１の正面側の下方向の所定の位置に置いた状態で、図３に示すように、背面側から留め具４３の雄ネジ部４３ａを、飲料器装着部４１の雌ネジ部４１ａに螺合する。このとき、ユーザは、留め具４３の指などで回転することで、上記螺合を行う。
【００１６】
以下、ペット用飲水器保持具１の使用例を説明する。
［組み立て時］
ペット用飲水器保持具１は、例えば、高さ調整用長手部材１１、ベース１３および固定部材１５が分離した状態で箱や袋などに収容された状態で販売される。
ユーザは、図４（Ａ）に示すベース１３の開口部１３ａに、高さ調整用長手部材１１の凸部２３を嵌め込むと共に、保持部１３ｂに凸部２５の先端を位置決めして固定する。
次に、ユーザは、ペットが飲みやすい高さにペット用飲料器１７が位置するように、固定部材１５を上下方向に位置決めする。
そして、図３に示すように、背面側から留め具４３の雄ネジ部４３ａを、飲料器装着部４１の雌ネジ部４１ａに螺合して、固定部材１５を高さ調整用長手部材１１に固定する。
【００１７】
［ペットの使用時］
ペットは、高さ調整用長手部材１１に固定された固定部材１５の先端に口を当てて飲水する。
このとき、固定部材１５の先端をペットが咥えることで、ペット用飲料器１７が手前に引っ張れることがある。この場合に、高さ調整用長手部材１１の凸部２５が、ベース１３の保持部１３ｂと係合し、高さ調整用長手部材１１が手前に傾斜することを回避できる。
【００１８】
以上説明したように、ペット用飲水器保持具１を用いることで、檻がなくてもペット用飲料器１７を使うことができる。すなわち、ペットが大人になって檻を使わなくなっても、室内にペット用飲水器保持具１を置くことで、ペット用飲料器１７を使用できる。
【００１９】
本発明は、檻がなくても、飲水器を使える飲水器保持具を提供することを目的とする。
また、ペット用飲水器保持具１では、ベース１３に凹部１３ｃを設けたことで、飲みこぼしで床が汚れることを防止できる。
【００２０】
＜第２実施形態＞
図８は、本発明の第２実施形態のペット用飲水器保持具１０１の外観図である。
図８に示すように、ペット用飲水器保持具１０１は、第１実施形態と同様に、高さ調整用長手部材１１１と、高さ調整用長手部材１１１が装着されるベース１１３と、ペット用飲水器１７を高さ調整用長手部材１１１に装着する固定部材１５（図示せず）とを有する。
【００２１】
高さ調整用長手部材１１１の機能は、基本的に第１実施形態の高さ調整用長手部材１１と同じである。
【００２２】
ベース１１３の正面側は、飲みこぼしを収容する凹部１１３ｃと、餌容器１５０を固定する凹部１１３ｄとが隣接して設けられている。
【００２３】
ペット用飲水器保持具１０１によれば、餌容器１５０を固定する凹部１１３ｄを、飲みこぼしを収容する凹部１１３ｃと共にベース１１３に設けたことで、ペット用飲料器１７を固定する機能の他に、餌容器としての機能も発揮できる。
【００２４】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
【００２５】
上述した実施形態において、高さ調整用長手部材１１，１１１、ベース１３，１１３および固定部材１５の形状は、その機能を損なわない範囲で様々に改変してもよい。
【産業上の利用可能性】
【００２６】
本考案は、例えば、ペット用飲水器保持具に適用可能である。
【符号の説明】
【００２７】
１…ペット用飲水器保持具
１１…高さ調整用長手部材
１３…ベース
１５…固定部材
１７…ペット用飲料器
【図１】
0003173186.tif 000003
【図２】
0003173186.tif 000004
【図３】
0003173186.tif 000005
【図４】
0003173186.tif 000006
【図５】
0003173186.tif 000007
【図６】
0003173186.tif 000008
【図７】
0003173186.tif 000009
【図８】
0003173186.tif 000010